(57)【特許請求の範囲】
【請求項１】
冷却対象を備えるプロジェクターであって、
光を射出する光源装置と、
前記光源装置からの光を画像信号に応じて変調する光変調装置と、
前記光変調装置により変調された光を投射する投射光学装置と、
冷媒が気体へ変化することで前記冷却対象を冷却する冷却装置と、
前記冷却対象の少なくとも一部を内部に収容する防塵ケースと、
を備え、
前記冷却装置は、
前記冷媒を生成する冷媒生成部と、
生成された前記冷媒を前記冷却対象に向けて伝送する冷媒伝送部と、
を有し、
前記冷却対象は、
冷却対象本体部と、
前記冷却対象本体部に熱的に接続され、前記冷媒伝送部から前記冷媒が伝送される被冷却部と、
を有し、
前記冷却対象本体部は、前記防塵ケースの内部に配置され、
前記被冷却部は、前記防塵ケースの外部に配置され、前記冷媒で冷却されることを特徴とするプロジェクター。
【請求項２】
前記光変調装置と前記光変調装置を保持する保持フレームとを有する光変調ユニットを備え、
前記保持フレームは、
前記光変調装置を保持するフレーム本体部と、
前記フレーム本体部から延びる延出部と、
を有し、
前記光変調ユニットは、前記冷却対象であり、
前記光変調装置は、前記冷却対象本体部であり、
前記延出部は、前記被冷却部である、請求項１に記載のプロジェクター。
【請求項３】
前記防塵ケースには、前記保持フレームが通された貫通孔が設けられ、
前記貫通孔と前記保持フレームとの間には、封止部材が設けられている、請求項２に記載のプロジェクター。
【請求項４】
前記冷却装置は、前記被冷却部に空気を送る冷却送風装置を有する、請求項１から３のいずれか一項に記載のプロジェクター。
【請求項５】
前記冷却送風装置から送られる空気が流通する流通ダクトをさらに備え、
前記冷却対象は、複数設けられ、
複数の前記冷却対象におけるそれぞれの前記被冷却部は、前記流通ダクトの内部に配置されている、請求項４に記載のプロジェクター。
【請求項６】
複数の前記冷却対象におけるそれぞれの前記被冷却部は、前記流通ダクトの内部を流通する空気の流れ方向に沿って並んで配置されている、請求項５に記載のプロジェクター。
【請求項７】
前記流通ダクトは、前記冷却送風装置から送られる空気が分岐する複数の分岐路を有し、
前記複数の分岐路のそれぞれには、少なくとも１つの前記被冷却部が配置されている、請求項５または６に記載のプロジェクター。
【請求項８】
前記防塵ケースの内部に配置され、前記防塵ケースの内部の空気を循環させる循環送風装置をさらに備える、請求項１から７のいずれか一項に記載のプロジェクター。
【請求項９】
前記防塵ケースは、前記防塵ケースの外部に熱を放出する放熱構造を有する、請求項１から８のいずれか一項に記載のプロジェクター。
【請求項１０】
前記放熱構造は、前記防塵ケースの内側面に設けられた複数の内側フィンを有する、請求項９に記載のプロジェクター。
【請求項１１】
前記放熱構造は、前記防塵ケースの外側面に設けられた複数の外側フィンを有する、請求項９または１０に記載のプロジェクター。
【請求項１２】
前記被冷却部には、前記冷媒を保持する冷媒保持部が設けられている、請求項１から１１のいずれか一項に記載のプロジェクター。
【発明の詳細な説明】
【技術分野】
【０００１】
本発明は、プロジェクターに関する。
【背景技術】
【０００２】
プロジェクターを冷却する手段として、例えば特許文献１に示すような送風装置を用いた空冷による冷却手段、および例えば特許文献２に示すような冷媒液を送るポンプと冷媒液を通す配管とを用いた液冷による冷却手段等が提案されている。
【先行技術文献】
【特許文献】
【０００３】
【特許文献１】特開２００２−１０７６９８号公報
【特許文献２】特開２００７−２９４６５５号公報
【発明の概要】
【発明が解決しようとする課題】
【０００４】
近年、プロジェクターの高輝度化等に伴って、冷却手段によって冷却される冷却対象の熱量が増加しており、冷却手段による冷却性能の向上が求められている。しかし、上述した空冷および液冷等の冷却手段において冷却性能を向上させる場合、冷却手段が大型化し、プロジェクターが大型化する問題がある。また、空冷の場合には、送風装置による騒音が増大する問題もある。
【課題を解決するための手段】
【０００５】
本発明のプロジェクターの一つの態様は、冷却対象を備えるプロジェクターであって、光を射出する光源装置と、前記光源装置からの光を画像信号に応じて変調する光変調装置と、前記光変調装置により変調された光を投射する投射光学装置と、冷媒が気体へ変化することで前記冷却対象を冷却する冷却装置と、前記冷却対象の少なくとも一部を内部に収容する防塵ケースと、を備え、前記冷却装置は、前記冷媒を生成する冷媒生成部と、生成された前記冷媒を前記冷却対象に向けて伝送する冷媒伝送部と、を有し、前記冷却対象は、冷却対象本体部と、前記冷却対象本体部に熱的に接続され、前記冷媒伝送部から前記冷媒が伝送される被冷却部と、を有し、前記冷却対象本体部は、前記防塵ケースの内部に配置され、前記被冷却部は、前記防塵ケースの外部に配置され、前記冷媒で冷却されることを特徴とする。
本発明のプロジェクターの一つの態様は、冷却対象を備えるプロジェクターであって、光を射出する光源装置と、前記光源装置からの光を画像信号に応じて変調する光変調装置と、前記光変調装置により変調された光を投射する投射光学装置と、冷媒が気体へ変化することで前記冷却対象を冷却する冷却装置と、前記冷却対象の少なくとも一部を内部に収容する防塵ケースと、を備え、前記冷却装置は、前記冷媒を生成する冷媒生成部と、生成された前記冷媒を前記冷却対象に向けて伝送する冷媒伝送部と、を有し、前記冷却対象は、冷却対象本体部と、前記冷却対象本体部に熱的に接続され、前記冷媒伝送部から前記冷媒が伝送される被冷却部と、を有し、前記冷却対象本体部は、前記防塵ケースの内部に配置され、前記被冷却部は、前記防塵ケースの外部に配置されていることを特徴とする。
【０００６】
前記光変調装置と前記光変調装置を保持する保持フレームとを有する光変調ユニットを備え、前記保持フレームは、前記光変調装置を保持するフレーム本体部と、前記フレーム本体部から延びる延出部と、を有し、前記光変調ユニットは、前記冷却対象であり、前記光変調装置は、前記冷却対象本体部であり、前記延出部は、前記被冷却部である構成としてもよい。
【０００７】
前記防塵ケースには、前記保持フレームが通された貫通孔が設けられ、前記貫通孔と前記保持フレームとの間には、封止部材が設けられている構成としてもよい。
【０００８】
前記冷却装置は、前記被冷却部に空気を送る冷却送風装置を有する構成としてもよい。
【０００９】
前記冷却送風装置から送られる空気が流通する流通ダクトをさらに備え、前記冷却対象は、複数設けられ、複数の前記冷却対象におけるそれぞれの前記被冷却部は、前記流通ダクトの内部に配置されている構成としてもよい。
【００１０】
複数の前記冷却対象におけるそれぞれの前記被冷却部は、前記流通ダクトの内部を流通する空気の流れ方向に沿って並んで配置されている構成としてもよい。
【００１１】
前記流通ダクトは、前記冷却送風装置から送られる空気が分岐する複数の分岐路を有し、前記複数の分岐路のそれぞれには、少なくとも１つの前記被冷却部が配置されている構成としてもよい。
【００１２】
前記防塵ケースの内部に配置され、前記防塵ケースの内部の空気を循環させる循環送風装置をさらに備える構成としてもよい。
【００１３】
前記防塵ケースは、前記防塵ケースの外部に熱を放出する放熱構造を有する構成としてもよい。
【００１４】
前記放熱構造は、前記防塵ケースの内側面に設けられた複数の内側フィンを有する構成としてもよい。
【００１５】
前記放熱構造は、前記防塵ケースの外側面に設けられた複数の外側フィンを有する構成としてもよい。
【図面の簡単な説明】
【００１６】
【図１】第１実施形態のプロジェクターを示す概略構成図である。
【図２】第１実施形態のプロジェクターの一部を示す模式図である。
【図３】第１実施形態の冷媒生成部を模式的に示す概略構成図である。
【図４】第１実施形態の吸放湿部材を示す斜視図である。
【図５】第１実施形態の熱交換部を示す部分断面斜視図である。
【図６】第１実施形態の光変調ユニットと光合成光学系と防塵ケースとを示す斜視図である。
【図７】第１実施形態の冷媒保持部を示す図である。
【図８】第１実施形態の光変調ユニットと防塵ケースと流通ダクトとを示す断面図であって、図６におけるＶＩＩＩ−ＶＩＩＩ断面図である。
【図９】第２実施形態の光変調ユニットと流通ダクトとを上側から視た断面図である。
【図１０】第３実施形態の光変調ユニットと流通ダクトとを上側から視た断面図である。
【図１１】第４実施形態の光変調ユニットと防塵ケースと流通ダクトとを示す断面図である。
【発明を実施するための形態】
【００１７】
以下、図面を参照しながら、本発明の実施形態に係るプロジェクターについて説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１８】
＜第１実施形態＞
図１は、本実施形態のプロジェクター１を示す概略構成図である。図２は、本実施形態のプロジェクター１の一部を示す模式図である。図１に示すように、プロジェクター１は、光源装置２と、色分離光学系３と、光変調ユニット４Ｒと、光変調ユニット４Ｇと、光変調ユニット４Ｂと、光合成光学系５と、投射光学装置６と、を備える。光変調ユニット４Ｒは、光変調装置４ＲＰを有する。光変調ユニット４Ｇは、光変調装置４ＧＰを有する。光変調ユニット４Ｂは、光変調装置４ＢＰを有する。
【００１９】
光源装置２は、略均一な照度分布を有するように調整された照明光ＷＬを色分離光学系３に向けて射出する。光源装置２は、光源として、例えば、半導体レーザーを有する。色分離光学系３は、光源装置２からの照明光ＷＬを赤色光ＬＲと緑色光ＬＧと青色光ＬＢとに分離する。色分離光学系３は、第１のダイクロイックミラー７ａと、第２のダイクロイックミラー７ｂと、第１の反射ミラー８ａと、第２の反射ミラー８ｂと、第３の反射ミラー８ｃと、リレーレンズ８ｄと、を備える。
【００２０】
第１のダイクロイックミラー７ａは、光源装置２から射出された照明光ＷＬを、赤色光ＬＲと、緑色光ＬＧと青色光ＬＢとが混合された光と、に分離する。第１のダイクロイックミラー７ａは、赤色光ＬＲを透過させるとともに、緑色光ＬＧおよび青色光ＬＢを反射する特性を有する。第２のダイクロイックミラー７ｂは、緑色光ＬＧと青色光ＬＢとが混合された光を緑色光ＬＧと青色光ＬＢとに分離する。第２のダイクロイックミラー７ｂは、緑色光ＬＧを反射するとともに、青色光ＬＢを透過させる特性を有する。
【００２１】
第１の反射ミラー８ａは、赤色光ＬＲの光路中に配置され、第１のダイクロイックミラー７ａを透過した赤色光ＬＲを光変調装置４ＲＰに向けて反射する。第２の反射ミラー８ｂおよび第３の反射ミラー８ｃは、青色光ＬＢの光路中に配置され、第２のダイクロイックミラー７ｂを透過した青色光ＬＢを光変調装置４ＢＰに導く。
【００２２】
光変調装置４ＲＰ、光変調装置４ＧＰ、および光変調装置４ＢＰの各々は、液晶パネルから構成されている。光変調装置４ＲＰは、光源装置２から射出された光のうち赤色光ＬＲを画像信号に応じて変調する。光変調装置４ＧＰは、光源装置２から射出された光のうち緑色光ＬＧを画像信号に応じて変調する。光変調装置４ＢＰは、光源装置２から射出された光のうち青色光ＬＢを画像信号に応じて変調する。これにより、各光変調装置４ＲＰ，４ＧＰ，４ＢＰは、各色光に対応した画像光を形成する。図示は省略するが、光変調装置４ＲＰ，４ＧＰ，４ＢＰの各々の光入射側および光射出側には、偏光板が配置されている。
【００２３】
光変調装置４ＲＰの光入射側には、光変調装置４ＲＰに入射する赤色光ＬＲを平行化するフィールドレンズ９Ｒが配置されている。光変調装置４ＧＰの光入射側には、光変調装置４ＧＰに入射する緑色光ＬＧを平行化するフィールドレンズ９Ｇが配置されている。光変調装置４ＢＰの光入射側には、光変調装置４ＢＰに入射する青色光ＬＢを平行化するフィールドレンズ９Ｂが配置されている。
【００２４】
光合成光学系５は、略立方体状のクロスダイクロイックプリズムから構成されている。光合成光学系５は、光変調装置４ＲＰ，４ＧＰ，４ＢＰからの各色の画像光を合成する。光合成光学系５は、合成した画像光を投射光学装置６に向かって射出する。投射光学装置６は、投射レンズ群から構成されている。投射光学装置６は、光合成光学系５により合成された画像光、すなわち光変調装置４ＲＰ，４ＧＰ，４ＢＰにより変調された光をスクリーンＳＣＲに向かって拡大投射する。これにより、スクリーンＳＣＲ上には、拡大されたカラー画像（映像）が表示される。
【００２５】
プロジェクター１は、図２に示すように、冷却装置１０をさらに備える。冷却装置１０は、冷媒Ｗが気体へ変化することで、プロジェクター１に備えられた冷却対象を冷却する。本実施形態において冷媒Ｗは、例えば、液体の水である。そのため、以下の説明においては、冷媒Ｗが気体へ変化することを単に気化と呼ぶ場合がある。本実施形態において冷却対象は、光変調ユニット４Ｒ，４Ｇ，４Ｂを含む。すなわち、本実施形態において冷却対象は、光変調装置４ＲＰ，４ＧＰ，４ＢＰを含む。本実施形態において光変調装置４ＲＰ，４ＧＰ，４ＢＰは、冷却対象本体部である。
【００２６】
冷却装置１０は、冷媒生成部２０と、冷媒伝送部５０と、を有する。冷媒生成部２０は、冷媒Ｗを生成する部分である。冷媒伝送部５０は、生成された冷媒Ｗを冷却対象に向けて伝送する部分である。冷媒伝送部５０によって冷却対象、すなわち本実施形態では光変調ユニット４Ｒ，４Ｇ，４Ｂに送られた冷媒Ｗが気化することで冷却対象から熱を奪うことができ、冷却装置１０は、冷却対象を冷却することができる。以下、各部について詳細に説明する。
【００２７】
図３は、本実施形態の冷媒生成部２０を模式的に示す概略構成図である。冷媒生成部２０は、図３に示すように、吸放湿部材４０と、モーター（駆動部）２４と、第１送風装置（冷却送風装置）６０と、熱交換部３０と、循環ダクト２５と、循環ダクト２６と、加熱部２２と、第２送風装置２３と、冷却ダクト２１と、を有する。
【００２８】
図４は、吸放湿部材４０を示す斜視図である。吸放湿部材４０は、図４に示すように、回転軸Ｒを中心とした扁平の円柱状である。吸放湿部材４０の中心には、回転軸Ｒを中心とする中心孔４０ｃが形成されている。中心孔４０ｃは、回転軸Ｒの軸方向に吸放湿部材４０を貫通する。吸放湿部材４０は、回転軸Ｒ周りに回転する。以下の説明においては、回転軸Ｒの軸方向を「回転軸方向ＤＲ」と呼び、適宜図においてＤＲ軸で示す。
【００２９】
吸放湿部材４０は、吸放湿部材４０を回転軸方向ＤＲに貫通する無数の貫通孔４０ｂを有する。吸放湿部材４０は、多孔質部材である。吸放湿部材４０は、吸放湿性を有する。本実施形態において吸放湿部材４０は、例えば、貫通孔４０ｂを有する帯状の帯状部材４０ａを回転軸Ｒ周りに巻き、巻かれた帯状部材４０ａにおける外部に露出する面に吸放湿性を有する物質を塗布して作られている。なお、巻かれた帯状部材４０ａにおける外部に露出する面とは、吸放湿部材４０の外表面、中心孔４０ｃの内周面および貫通孔４０ｂの内側面を含む。なお、吸放湿部材４０は、全体が吸放湿性を有する物質から作られていてもよい。吸放湿性を有する物質としては、例えば、ゼオライトやシリカゲル等が挙げられる。
【００３０】
図３に示すモーター２４の出力軸は、吸放湿部材４０の中心孔４０ｃに挿入されて固定されている。モーター２４は、吸放湿部材４０を回転軸Ｒ周りに回転させる。モーター２４によって回転させられる吸放湿部材４０の回転速度は、例えば、０．２ｒｐｍ以上、５ｒｐｍ以下程度である。
【００３１】
第１送風装置６０は、例えば、プロジェクター１内に外部の空気を取り込む吸気ファンである。第１送風装置６０は、第１領域Ｆ１に位置する吸放湿部材４０の部分に空気ＡＲ１を送る。第１領域Ｆ１は、回転軸Ｒと直交する方向において、回転軸Ｒよりも一方側の領域である。一方、回転軸Ｒと直交する方向において、回転軸Ｒよりも他方側の領域、すなわち回転軸Ｒに対して第１領域Ｆ１と逆側の領域は、第２領域Ｆ２である。第１領域Ｆ１は、図３では回転軸Ｒよりも上側の領域である。第２領域Ｆ２は、図３では回転軸Ｒよりも下側の領域である。
【００３２】
第１送風装置６０は、図２に示すように、冷却対象である光変調ユニット４Ｒ，４Ｇ，４Ｂにも空気ＡＲ１を送る。すなわち、本実施形態において第１送風装置６０は、冷却対象に空気ＡＲ１を送る冷却送風装置である。第１送風装置６０は、空気ＡＲ１を送れることができるならば、特に限定されず、例えば、軸流ファンであっても、遠心ファンであってもよい。
【００３３】
熱交換部３０は、冷媒Ｗが生成される部分である。図５は、熱交換部３０を示す部分断面斜視図である。図５に示すように、熱交換部３０は、流通部３１と、第１蓋部３２と、第２蓋部３３と、を有する。
【００３４】
流通部３１は、一方向に延びる管状の複数の配管部３１ａを有する。本実施形態において配管部３１ａが延びる一方向は、例えば、回転軸方向ＤＲと直交する。配管部３１ａは、延びる一方向の両側に開口する。配管部３１ａの延びる一方向と直交する断面形状は、例えば、円形状である。なお、以下の説明においては、配管部３１ａが延びる一方向を「延伸方向ＤＥ」と呼び、適宜図においてＤＥ軸で示す。上述した第１領域Ｆ１と第２領域Ｆ２とは、回転軸方向ＤＲと直交する延伸方向ＤＥにおいて、回転軸Ｒを基準として分けられている。
【００３５】
本実施形態において流通部３１は、複数の配管部３１ａが回転軸方向ＤＲに沿って並べられて構成された層が、回転軸方向ＤＲおよび延伸方向ＤＥの両方と直交する方向に沿って複数積層されて構成されている。なお、以下の説明においては、回転軸方向ＤＲおよび延伸方向ＤＥの両方と直交する方向を「厚さ方向ＤＴ」と呼び、適宜図においてＤＴ軸で示す。本実施形態において、流通部３１の厚さ方向ＤＴの寸法は、例えば、流通部３１の回転軸方向ＤＲの寸法よりも小さく、延伸方向ＤＥと直交する方向の流通部３１の寸法のうちで最も小さい。
【００３６】
第１蓋部３２は、流通部３１における延伸方向ＤＥの一方側（＋ＤＥ側）の端部に接続されている。第１蓋部３２は、回転軸方向ＤＲに長い直方体箱状である。第１蓋部３２の内部には、配管部３１ａの延伸方向ＤＥの一端が開口している。図３に示すように、第１蓋部３２の内部には、仕切部３２ａが設けられている。仕切部３２ａは、第１蓋部３２の内部を回転軸方向ＤＲに並ぶ第１空間Ｓ１と第２空間Ｓ２とに仕切っている。図３において、第１空間Ｓ１は、第２空間Ｓ２の右側（＋ＤＲ側）に位置する。
【００３７】
第１蓋部３２には、第１空間Ｓ１と循環ダクト２６の内部とを繋ぐ連通孔３２ｂが形成されている。第１蓋部３２には、第２空間Ｓ２と循環ダクト２５の内部とを繋ぐ連通孔３２ｃが形成されている。
【００３８】
第２蓋部３３は、流通部３１における延伸方向ＤＥの他方側（−ＤＥ側）の端部、すなわち流通部３１に対して第１蓋部３２が接続された側と逆側の端部に接続されている。図５に示すように、第２蓋部３３は、回転軸方向ＤＲに長い直方体箱状である。第２蓋部３３の内部には、配管部３１ａの延伸方向ＤＥの他端が開口している。第２蓋部３３の内部は、第１蓋部３２と異なり、仕切られていない。第２蓋部３３の内部は、流通部３１の配管部３１ａの内部を介して、第１蓋部３２の内部のうち第１空間Ｓ１および第２空間Ｓ２のそれぞれと繋がっている。第２蓋部３３は、冷媒伝送部５０と接続されている。これにより、熱交換部３０は、冷媒伝送部５０と接続されている。なお、図５においては、第２蓋部３３における延伸方向ＤＥの他方側の壁を省略している。
【００３９】
循環ダクト２６は、図３に示すように、回転軸方向ＤＲにおいて、吸放湿部材４０の一方側（＋ＤＲ側）に配置されたダクトである。循環ダクト２６は、第２領域Ｆ２に位置する吸放湿部材４０の部分に向かって、回転軸方向ＤＲの他方側（−ＤＲ側）に開口する流入口を有する。循環ダクト２６は、第１蓋部３２の連通孔３２ｂと繋がる流出口を有する。
【００４０】
循環ダクト２５は、回転軸方向ＤＲにおいて、吸放湿部材４０の他方側（−ＤＲ側）に配置されたダクトである。循環ダクト２５は、第２領域Ｆ２に位置する吸放湿部材４０の部分に向かって、回転軸方向ＤＲの一方側（＋ＤＲ側）に開口する流出口を有する。循環ダクト２５は、第１蓋部３２の連通孔３２ｃと繋がる流入口を有する。
【００４１】
加熱部２２は、加熱本体部２２ａを有する。加熱本体部２２ａは、循環ダクト２５の内部に配置されている。加熱本体部２２ａは、回転軸方向ＤＲにおいて、第２領域Ｆ２に位置する吸放湿部材４０の部分の他方側（−ＤＲ側）に配置されている。加熱本体部２２ａは、例えば、電気ヒーターである。加熱本体部２２ａは、循環ダクト２５の内部の雰囲気（空気）を加熱する。本実施形態において加熱部２２は、第２送風装置２３を有する。
【００４２】
第２送風装置２３は、循環ダクト２６の内部に配置されている。第２送風装置２３は、回転軸方向ＤＲにおいて、第２領域Ｆ２に位置する吸放湿部材４０の部分の一方側（＋ＤＲ側）に配置されている。第２送風装置２３は、例えば、遠心ファンである。第２送風装置２３は、回転軸方向ＤＲの他方側（−ＤＲ側）から吸気した空気を、排気口２３ａから延伸方向ＤＥの他方側（−ＤＥ側）に放出する。排気口２３ａは、第１蓋部３２の連通孔３２ｂに開口している。第２送風装置２３は、連通孔３２ｂを介して第１空間Ｓ１に空気を送る。
【００４３】
第２送風装置２３から第１空間Ｓ１に放出される空気は、循環ダクト２６の流入口を介して第２送風装置２３の回転軸方向ＤＲの他方側（−ＤＲ側）から吸気した空気であり、第２領域Ｆ２に位置する吸放湿部材４０の部分を通過した空気である。すなわち、第２送風装置２３は、第１領域Ｆ１と異なる第２領域Ｆ２に位置する吸放湿部材４０の部分に空気を通過させて熱交換部３０に送る。本実施形態において第２領域Ｆ２に位置する吸放湿部材４０の部分を通過する前の空気は、循環ダクト２５の内部を流れている。そのため、加熱本体部２２ａは、第２領域Ｆ２に位置する吸放湿部材４０の部分を通過する前の空気を加熱する。
【００４４】
このように、本実施形態において加熱部２２は、加熱本体部２２ａによって加熱された空気を、第２送風装置２３によって第２領域Ｆ２に位置する吸放湿部材４０の部分に送ることで、第２領域Ｆ２に位置する吸放湿部材４０の部分を加熱する。これにより、第２送風装置２３は、吸放湿部材４０における加熱部２２によって加熱された部分の周囲の空気を熱交換部３０に送る。
【００４５】
第２送風装置２３から第１空間Ｓ１を介して熱交換部３０に流入した空気は、複数の配管部３１ａのうち第１空間Ｓ１と繋がる配管部３１ａの内部を通って、第２蓋部３３の内部に流入する。第２蓋部３３の内部に流入した空気は、複数の配管部３１ａのうち第２空間Ｓ２と繋がる配管部３１ａの内部を通って、第２空間Ｓ２に流入し、連通孔３２ｃから循環ダクト２５の内部に流入する。循環ダクト２５の内部に流入した空気は、加熱本体部２２ａによって加熱され、再び第２領域Ｆ２に位置する吸放湿部材４０の部分を通過して循環ダクト２６の内部に流入し第２送風装置２３に吸気される。
【００４６】
以上のように、本実施形態において冷媒生成部２０は、第２送風装置２３から放出された空気が循環する循環経路２７を有する。循環経路２７は、少なくとも循環ダクト２５，２６と熱交換部３０とによって構成されている。循環経路２７は、加熱本体部２２ａと吸放湿部材４０と熱交換部３０とを通る。吸放湿部材４０と循環ダクト２５，２６との間には僅かに隙間が設けられているが、循環経路２７は略密閉されており、循環経路２７の内部に外部からの空気が流入することが抑制される。なお、以下の説明においては、第２送風装置２３から放出され循環経路２７内を循環する空気を空気ＡＲ２と呼ぶ。
【００４７】
冷却ダクト２１は、回転軸方向ＤＲにおいて、第１領域Ｆ１に位置する吸放湿部材４０の部分の一方側（＋ＤＲ側）に配置された流入口を有するダクトである。冷却ダクト２１には、第１送風装置６０から放出され第１領域Ｆ１に位置する吸放湿部材４０の部分を通過した空気ＡＲ１が流入する。冷却ダクト２１は、第１領域Ｆ１に位置する吸放湿部材４０の部分の一方側の領域から熱交換部３０に向かって延びている。
【００４８】
冷却ダクト２１は、回転軸方向ＤＲに延びる冷却通路部２１ａを有する。冷却通路部２１ａには、熱交換部３０の流通部３１が延伸方向ＤＥに貫通して配置されている。これにより、冷却通路部２１ａの内部には、流通部３１が配置されている。冷却通路部２１ａを通る空気ＡＲ１は、流通部３１の外表面に吹き付けられ、流通部３１を回転軸方向ＤＲに通過する。これにより、流通部３１は、空気ＡＲ１によって冷却される。すなわち、熱交換部３０は、第１送風装置６０から放出され、吸放湿部材４０を通過した空気ＡＲ１によって冷却される。図３では、冷却通路部２１ａにおいて空気ＡＲ１は、右側から左側に流通部３１を通過している。冷却通路部２１ａにおける回転軸方向ＤＲの他方側（−ＤＲ側）の端部は、開口している。冷却通路部２１ａの開口は、例えば、冷却ダクト２１の流出口である。
【００４９】
第１領域Ｆ１に位置する吸放湿部材４０の部分に第１送風装置６０から空気ＡＲ１が送られると、空気ＡＲ１に含まれる水蒸気が、第１領域Ｆ１に位置する吸放湿部材４０の部分に吸湿される。水蒸気を吸湿した吸放湿部材４０の部分は、モーター２４によって吸放湿部材４０が回転させられることで、第１領域Ｆ１から第２領域Ｆ２に移動する。そして、第２領域Ｆ２に位置する吸放湿部材４０の部分には、加熱本体部２２ａによって加熱された比較的温度の高い空気ＡＲ２が通る。これにより、吸放湿部材４０に吸湿された水分が、気化して空気ＡＲ２に放湿される。
【００５０】
吸放湿部材４０を通過することで空気ＡＲ１から吸湿した水蒸気を含んだ空気ＡＲ２は、第２送風装置２３によって熱交換部３０へと送られる。第１空間Ｓ１から熱交換部３０へと流入した空気ＡＲ２は、流通部３１の内部を流れる。より詳細には、空気ＡＲ２は、流通部３１の配管部３１ａの内部を流れる。流通部３１は、冷却ダクト２１の冷却通路部２１ａを回転軸方向ＤＲに沿って流れる空気ＡＲ１によって外部から冷却される。
【００５１】
流通部３１が冷却されると、配管部３１ａの内部を流れる比較的温度の高い空気ＡＲ２が冷却されて、空気ＡＲ２に含まれていた水蒸気が凝縮して液体の水、すなわち冷媒Ｗになる。このようにして、熱交換部３０は、冷却されることで熱交換部３０に流入した空気ＡＲ２から冷媒Ｗを生成する。
【００５２】
本実施形態において冷媒伝送部５０は、多孔質部材製であり、毛細管現象によって冷媒Ｗを伝送する。冷媒伝送部５０の材質としては、例えば、ポリプロピレン、コットン、ポーラス金属等が挙げられる。冷媒伝送部５０の材質は、冷媒伝送部５０の表面張力を比較的大きくできる材質が好ましい。冷媒伝送部５０は、図５に示すように、第１捕捉部５１と、第２捕捉部５２と、第３捕捉部５３と、接続部５４と、を有する。
【００５３】
第１捕捉部５１は、第１蓋部３２の内側面のうち延伸方向ＤＥの一方側（＋ＤＥ側）の縁部に固定されている。第１捕捉部５１は、薄い帯状であり、第１蓋部３２の縁部に沿って矩形枠状に成形されている。第２捕捉部５２は、第２蓋部３３の内側面のうち延伸方向ＤＥの他方側（−ＤＥ側）の縁部に固定されている。第２捕捉部５２は、薄い帯状であり、第２蓋部３３の縁部に沿って矩形枠状に成形されている。
【００５４】
第３捕捉部５３は、第１捕捉部５１から配管部３１ａの内部を通って第２捕捉部５２まで延びており、第１捕捉部５１と第２捕捉部５２とを接続している。第３捕捉部５３は、延伸方向ＤＥに延びた薄い帯状である。本実施形態において、第３捕捉部５３は、図５に示すように、複数の配管部３１ａのうち１つの配管部３１ａの内部に配置されているが、これに限らない。第３捕捉部５３は、複数の配管部３１ａのうち一部の配管部３１ａの内部に設けられていてもよいし、複数の配管部３１ａのうち全ての配管部３１ａの内部に設けられていてもよい。複数の配管部３１ａのうち一部の配管部３１ａの内部に設けられる場合、第３捕捉部５３は、２つ以上の配管部３１ａの内部に設けられてもよい。
【００５５】
接続部５４は、冷媒生成部２０と冷却対象とを接続する部分である。本実施形態において接続部５４は、第２捕捉部５２に接続され、第２蓋部３３の内部から第２蓋部３３の外部に第２蓋部３３の壁を貫通して突出している。図６に示すように、第２蓋部３３の外部に突出した接続部５４は、冷却対象である光変調ユニット４Ｇまで延びている。図６は、光変調ユニット４Ｒ，４Ｇ，４Ｂと光合成光学系５と後述する防塵ケース９０とを示す斜視図である。接続部５４は、薄い帯状である。接続部５４の幅は、例えば、第１捕捉部５１の幅、第２捕捉部５２の幅、および第３捕捉部５３の幅よりも大きい。
【００５６】
次に、本実施形態における冷却対象である光変調ユニット４Ｒ，４Ｇ，４Ｂについて、より詳細に説明する。以下の説明においては、正の側を上側とし、負の側を下側とする上下方向Ｚを、適宜図においてＺ軸で示す。投射光学装置６における最も光射出側の投射レンズの光軸ＡＸと平行な方向、すなわち投射光学装置６の投射方向と平行な方向を「光軸方向Ｘ」と呼び、適宜図においてＸ軸で示す。光軸方向Ｘは、上下方向Ｚと直交する。また、光軸方向Ｘおよび上下方向Ｚの両方と直交する方向を「幅方向Ｙ」と呼び、適宜図においてＹ軸で示す。
【００５７】
なお、上下方向Ｚ、上側および下側とは、単に各部の相対位置関係を説明するための名称であり、実際の配置関係等は、これらの名称で示される配置関係等以外の配置関係等であってもよい。また、本実施形態では、上下方向Ｚが鉛直方向である場合について説明する。
【００５８】
冷却対象である光変調ユニット４Ｒと光変調ユニット４Ｇと光変調ユニット４Ｂとは、図６に示すように、光合成光学系５の周りを囲んで配置されている。光変調ユニット４Ｒと光変調ユニット４Ｂとは、光合成光学系５を幅方向Ｙに挟んで互いに反対側に配置されている。光変調ユニット４Ｒと光変調ユニット４Ｂとは、互いに幅方向Ｙに対称に配置されている。光変調ユニット４Ｇは、光合成光学系５の光軸方向Ｘの光入射側（−Ｘ側）に配置されている。光変調ユニット４Ｇの姿勢は、上側から視て、光変調ユニット４Ｒを反時計回りに９０°回転させた姿勢である。
【００５９】
光変調ユニット４Ｒにおいて、光変調装置４ＲＰを通過する光の方向は、幅方向Ｙである。光変調ユニット４Ｒにおいて、幅方向Ｙの正の側（＋Ｙ側）は、光変調装置４ＲＰに光が入射する光入射側であり、幅方向Ｙの負の側（−Ｙ側）は、光変調装置４ＲＰから光が射出される光射出側である。
【００６０】
光変調ユニット４Ｇにおいて、光変調装置４ＧＰを通過する光の方向は、光軸方向Ｘである。光変調ユニット４Ｇにおいて、光軸方向Ｘの負の側（−Ｘ側）は、光変調装置４ＧＰに光が入射する光入射側であり、光軸方向Ｘの正の側（＋Ｘ側）は、光変調装置４ＧＰから光が射出される光射出側である。
【００６１】
光変調ユニット４Ｂにおいて、光変調装置４ＢＰを通過する光の方向は、幅方向Ｙである。光変調ユニット４Ｂにおいて、幅方向Ｙの負の側（−Ｙ側）は、光変調装置４ＢＰに光が入射する光入射側であり、幅方向Ｙの正の側（＋Ｙ側）は、光変調装置４ＢＰから光が射出される光射出側である。
【００６２】
各光変調ユニット４Ｒ，４Ｇ，４Ｂおよび各光変調ユニット４Ｒ，４Ｇ，４Ｂにそれぞれ設けられた後述する冷却促進部７０は、配置される位置および姿勢は異なるが、同様の形状を有する。そのため、以下の説明においては、特に断りのない限り、代表して光変調ユニット４Ｇおよび光変調ユニット４Ｇに設けられた冷却促進部７０についてのみ説明する場合がある。
【００６３】
各光変調ユニット４Ｒ，４Ｇ，４Ｂは、光変調装置４ＲＰ，４ＧＰ，４ＢＰを保持する保持フレーム８０をそれぞれ有する。各光変調ユニット４Ｒ，４Ｇ，４Ｂの保持フレーム８０は、配置および姿勢が光変調ユニット４Ｒ，４Ｇ，４Ｂの配置および姿勢に応じて異なるが、それぞれ同様の形状を有する。
【００６４】
光変調ユニット４Ｇに設けられた保持フレーム８０は、光変調装置４ＧＰを光が通過する光軸方向Ｘに扁平で上下方向Ｚに長い形状である。保持フレーム８０は、フレーム本体部８１と、延出部（被冷却部）８２と、支持部８３と、を有する。フレーム本体部８１は、光変調装置４ＧＰを保持する部分である。フレーム本体部８１は、フレーム本体部８１を光軸方向Ｘに貫通する貫通孔８１ａを有する矩形枠状である。貫通孔８１ａには、光変調装置４ＧＰが嵌め合わされている。これにより、光変調装置４ＧＰは、外周縁部がフレーム本体部８１に保持されて、保持フレーム８０に保持されている。
【００６５】
延出部８２は、フレーム本体部８１から延びる部分である。本実施形態において延出部８２は、フレーム本体部８１の上側の端部のうち光射出側（＋Ｘ側）に位置する部分から上側に延びている。延出部８２は、光変調装置４ＧＰよりも鉛直方向（Ｚ軸方向）の上側（＋Ｚ側）に配置されている。延出部８２の光軸方向Ｘの寸法は、フレーム本体部８１の光軸方向Ｘの寸法よりも小さい。本実施形態において延出部８２は、冷媒伝送部５０から冷媒Ｗが伝送される被冷却部である。すなわち、本実施形態において冷却対象に対応する光変調ユニット４Ｒ，４Ｇ，４Ｂは、冷却対象本体部に対応する光変調装置４ＲＰ，４ＧＰ，４ＢＰと、被冷却部に対応する延出部８２と、をそれぞれ含む。
【００６６】
延出部８２は、フレーム本体部８１を介して、冷却対象本体部である光変調装置４ＧＰと熱的に接続されている。なお、本明細書において「ある対象同士が熱的に接続されている」とは、ある対象同士の間で熱の移動が可能な状態で、ある対象同士が接続されていればよい。すなわち、光変調装置４ＧＰの熱は、フレーム本体部８１を介して延出部８２に移動可能である。
【００６７】
延出部８２は、第１部分８２ａと、第２部分８２ｂと、第３部分８２ｃと、を有する。第１部分８２ａと第２部分８２ｂと第３部分８２ｃとは、下側から上側に向かってこの順に繋がっている。第１部分８２ａ、第２部分８２ｂ、および第３部分８２ｃのそれぞれは、上下方向Ｚおよび光変調装置４ＧＰを光が通過する光軸方向Ｘの両方と直交する幅方向Ｙに長い直方体状である。
【００６８】
第１部分８２ａの幅方向Ｙの寸法は、フレーム本体部８１の幅方向Ｙの寸法と同じである。第２部分８２ｂの幅方向Ｙの寸法は、第１部分８２ａの幅方向Ｙの寸法よりも小さい。第３部分８２ｃの幅方向Ｙの寸法は、第１部分８２ａの幅方向Ｙの寸法および第２部分８２ｂの幅方向Ｙの寸法よりも大きい。第３部分８２ｃは、第２部分８２ｂよりも幅方向Ｙの両側に突出している。
【００６９】
支持部８３は、延出部８２の第１部分８２ａから光入射側（−Ｘ側）に突出している。支持部８３は、幅方向Ｙに間隔を空けて一対設けられている。支持部８３の下側の端部は、フレーム本体部８１の上側の面に接続されている。支持部８３は、後述する冷媒保持部７１および固定部材７２を下側から支持している。
【００７０】
本実施形態において保持フレーム８０は、金属製である。保持フレーム８０の材料は、例えば、アルミニウムを含む。本実施形態において保持フレーム８０の熱伝導率は、冷媒伝送部５０の熱伝導率よりも高い。保持フレーム８０の熱伝導率は、例えば、８０［Ｗ／（ｍ・Ｋ）］以上である。なお、保持フレーム８０の材料は、特に限定されず、銅等の他の金属を含んでもよい。
【００７１】
本実施形態においてプロジェクター１は、冷却対象である光変調ユニット４Ｒ，４Ｇ，４Ｂにそれぞれ設けられた冷却促進部７０をさらに備える。各冷却促進部７０は、それぞれ、冷媒保持部７１と、固定部材７２と、を有する。冷媒保持部７１は、冷媒Ｗを保持する多孔質部材製である。冷媒保持部７１の材質としては、例えば、ポリプロピレン、コットン、ポーラス金属等が挙げられる。冷媒保持部７１の材質は、例えば、冷媒伝送部５０の材質と同じにできる。冷媒保持部７１の材質は、冷媒保持部７１の表面張力を比較的大きくできる材質が好ましい。
【００７２】
冷媒保持部７１は、被冷却部である延出部８２の面に設けられている。本実施形態において冷媒保持部７１は、光変調装置４ＲＰ，４ＧＰ，４ＢＰを光が通過する方向における延出部８２の両側の面に跨って設けられている。図７は、冷媒保持部７１を示す図である。図７に示すように、光変調ユニット４Ｒに設けられた冷媒保持部７１Ｒと、光変調ユニット４Ｇに設けられた冷媒保持部７１Ｇと、光変調ユニット４Ｂに設けられた冷媒保持部７１Ｂとは、互いに同じ形状である。以下、代表して冷媒保持部７１Ｇの形状について説明する。
【００７３】
冷媒保持部７１Ｇは、本体部７１ａと、一対の折返し部７１ｄと、を有する。本体部７１ａは、図６に示すように、延出部８２の光入射側（−Ｘ側）の面に設けられている。本体部７１ａは、幅狭部７１ｂと、幅広部７１ｃと、を有する。
【００７４】
本実施形態において幅狭部７１ｂは、矩形状である。幅狭部７１ｂは、延出部８２のうち第１部分８２ａの光入射側（−Ｘ側）の面と第２部分８２ｂの光入射側の面とに跨って設けられている。幅狭部７１ｂは、第１部分８２ａの光入射側の面のうち幅方向Ｙの中央部と、第２部分８２ｂの光入射側の面全体と、を覆っている。
【００７５】
本実施形態において幅広部７１ｃは、矩形状である。幅広部７１ｃは、幅狭部７１ｂの上側に繋がっている。幅広部７１ｃは、幅狭部７１ｂよりも幅方向Ｙの両側に突出している。幅広部７１ｃは、延出部８２のうち第３部分８２ｃの光入射側（−Ｘ側）の面に設けられている。幅広部７１ｃは、第３部分８２ｃの光入射側の面全体を覆っている。
【００７６】
一対の折返し部７１ｄは、幅広部７１ｃの上側の端部における幅方向Ｙの両端部にそれぞれ設けられている。一対の折返し部７１ｄは、延出部８２の上側を通って光射出側（＋Ｘ側）に折り返されている。一対の折返し部７１ｄは、延出部８２のうち第３部分８２ｃの上側の面と、第３部分８２ｃの光射出側の面と、に跨って設けられている。一対の折返し部７１ｄは、第３部分８２ｃの上側の面のうち幅方向Ｙの両端部と、第３部分８２ｃの光射出側の面のうち幅方向Ｙの両端部と、を覆っている。
【００７７】
図７に示すように、各光変調ユニット４Ｒ，４Ｇ，４Ｂに設けられた冷媒保持部７１のうち、光変調ユニット４Ｇに設けられた冷媒保持部７１Ｇは、冷媒伝送部５０と接続されている。より詳細には、冷媒保持部７１Ｇのうち幅広部７１ｃの下端部には、冷媒伝送部５０の接続部５４が接続されている。一方、光変調ユニット４Ｂに取り付けられた冷媒保持部７１Ｂおよび光変調ユニット４Ｒに取り付けられた冷媒保持部７１Ｒにおいては、接続部５４が接続されていない。
【００７８】
本実施形態においては、光変調ユニット４Ｇに取り付けられた冷媒保持部７１Ｇの両側に、光変調ユニット４Ｂに取り付けられた冷媒保持部７１Ｂと、光変調ユニット４Ｒに取り付けられた冷媒保持部７１Ｒと、をそれぞれ連結する連結部７３ａ，７３ｂが設けられている。連結部７３ａ，７３ｂは、多孔質部材製である。
【００７９】
連結部７３ａは、光変調ユニット４Ｇに取り付けられた冷媒保持部７１Ｇと光変調ユニット４Ｂに取り付けられた冷媒保持部７１Ｂとを連結している。より詳細には、連結部７３ａは、冷媒保持部７１Ｇの幅広部７１ｃと冷媒保持部７１Ｂの幅広部７１ｃとを連結している。これにより、冷媒保持部７１Ｂは、冷媒保持部７１Ｇを介して冷媒伝送部５０の接続部５４と接続されている。図６に示すように、連結部７３ａには、連結部７３ａを覆う被覆部７４が設けられている。被覆部７４は、例えば、樹脂製のフィルム等である。
【００８０】
連結部７３ｂは、図７に示すように、光変調ユニット４Ｇに取り付けられた冷媒保持部７１Ｇと光変調ユニット４Ｒに取り付けられた冷媒保持部７１Ｒとを連結している。より詳細には、連結部７３ｂは、冷媒保持部７１Ｇの幅広部７１ｃと冷媒保持部７１Ｒの幅広部７１ｃとを連結している。これにより、冷媒保持部７１Ｒは、冷媒保持部７１Ｇを介して冷媒伝送部５０の接続部５４と接続されている。図示は省略するが、連結部７３ｂにも、連結部７３ａと同様に被覆部７４が設けられている。
【００８１】
固定部材７２は、図６に示すように、冷媒保持部７１を固定する部材である。各光変調ユニット４Ｒ，４Ｇ，４Ｂに設けられた固定部材７２は、同様の形状を有するため、以下の説明においては、代表して、光変調ユニット４Ｇに設けられた冷媒保持部７１Ｇを固定する固定部材７２について説明する。
【００８２】
固定部材７２は、板状の部材である。固定部材７２は、例えば、金属製である。固定部材７２は、枠部７２ａと、取付部７２ｂ，７２ｃと、を有する。枠部７２ａは、冷媒保持部７１における本体部７１ａの光入射側（−Ｘ側）に位置する。枠部７２ａは、本体部７１ａの外縁部を覆っている。枠部７２ａの外形は、本体部７１ａの外形と同様である。
【００８３】
延出部８２と冷媒保持部７１の本体部７１ａと枠部７２ａとは、光変調ユニット４Ｇを通過する光の方向（光軸方向Ｘ）に重ねられている。以下の説明においては、延出部８２と冷媒保持部７１の本体部７１ａと枠部７２ａとが重ねられた方向を単に「重ね方向」と呼ぶ。固定部材７２は、枠部７２ａによって、被冷却部である延出部８２との間で冷媒保持部７１の本体部７１ａを重ね方向（光軸方向Ｘ）に挟んで固定している。
【００８４】
本実施形態において冷媒保持部７１の少なくとも一部は、重ね方向の固定部材７２側（光入射側）から視て、露出している。より詳細には、冷媒保持部７１の本体部７１ａのうち枠部７２ａよりも内側に位置する部分は、重ね方向の固定部材７２側から視て、露出している。
【００８５】
取付部７２ｂは、枠部７２ａの下側部分における幅方向Ｙの両端部にそれぞれ設けられている。取付部７２ｃは、枠部７２ａの上側部分における幅方向Ｙの両端部にそれぞれ設けられている。取付部７２ｂ，７２ｃは、枠部７２ａから光射出側（＋Ｘ側）に突出している。取付部７２ｂは、保持フレーム８０のうち第２部分８２ｂの側面に設けられた突起に係合されている。取付部７２ｃは、保持フレーム８０のうち第３部分８２ｃの側面に設けられた突起に係合されている。これにより、固定部材７２は、保持フレーム８０に固定されている。各取付部７２ｃの先端部は、折り曲げられて一対の折返し部７１ｄを光射出側から押さえる爪部７２ｄである。なお、図６においては、光変調ユニット４Ｒに設けられた固定部材７２の爪部７２ｄを示している。
【００８６】
光変調ユニット４Ｒは、光変調装置４ＲＰに電気的に接続された配線４ＲＷを有する。光変調ユニット４Ｇは、光変調装置４ＧＰに電気的に接続された配線４ＧＷを有する。光変調ユニット４Ｂは、光変調装置４ＢＰに電気的に接続された配線４ＢＷを有する。配線４ＲＷ，４ＧＷ，４ＢＷは、延出部８２の光射出側において上下方向Ｚに延びており、延出部８２よりも上側に引き出されている。配線４ＲＷ，４ＧＷ，４ＢＷは、各保持フレーム８０における延出部８２の光射出側の面のうち、一対の折返し部７１ｄが設けられた部分同士の間と対向して配置されている。
【００８７】
プロジェクター１は、図８に示すように、冷却対象の少なくとも一部を内部に収容する防塵ケース９０と、第１送風装置（冷却送風装置）６０から送られる空気ＡＲ１が流通する流通ダクト９３と、をさらに備える。図８は、本実施形態の光変調ユニット４Ｂ，４Ｇと防塵ケース９０と流通ダクト９３とを示す断面図であって、図６におけるＶＩＩＩ−ＶＩＩＩ断面図である。
【００８８】
防塵ケース９０は、図６および図８に示すように、例えば、直方体箱状である。防塵ケース９０は、防塵性を有する。防塵ケース９０は、閉塞されており、防塵ケース９０の内部と外部との塵および埃等の通過を遮断可能となっている。
【００８９】
なお、本明細書において「ある対象が防塵性を有する」とは、ある対象が、塵および埃等を通過させない性質、または塵および埃等をほぼ通過させない性質を有することを含む。塵および埃等をほぼ通過させない性質とは、ある対象を通過しようとした塵および埃等の９０％以上を遮断できる性質であることを含む。
【００９０】
図６に示すように、本実施形態において防塵ケース９０は、光合成光学系５と、光変調装置４ＲＰ，４ＧＰ，４ＢＰと、光変調装置４ＲＰ，４ＧＰ，４ＢＰを保持するフレーム本体部８１と、を内部に収容している。すなわち、冷却対象本体部である光変調装置４ＲＰ，４ＧＰ，４ＢＰは、防塵ケース９０の内部に配置されている。
【００９１】
防塵ケース９０には、保持フレーム８０が通された貫通孔９１が設けられている。本実施形態において貫通孔９１は、直方体状の防塵ケース９０を構成する壁部のうち上側に位置する天壁部９０ａに設けられている。貫通孔９１は、天壁部９０ａを上下方向Ｚに貫通している。貫通孔９１は、例えば、矩形状の孔である。本実施形態において貫通孔９１は、複数設けられている。貫通孔９１は、例えば、貫通孔９１Ｒ，９１Ｇ，９１Ｂの３つ設けられている。
【００９２】
３つの貫通孔９１Ｒ，９１Ｇ，９１Ｂには、光変調ユニット４Ｒ，４Ｇ，４Ｂの保持フレーム８０がそれぞれ通されている。光変調ユニット４Ｒ，４Ｇ，４Ｂに設けられた延出部８２は、貫通孔９１Ｒ，９１Ｇ，９１Ｂを介して、防塵ケース９０の上側に突出している。これにより、被冷却部である延出部８２は、防塵ケース９０の外部に配置されている。図８に示すように、貫通孔９１の内部には、保持フレーム８０のうちフレーム本体部８１の上側の端部が挿入されている。
【００９３】
本実施形態において貫通孔９１と保持フレーム８０との間には、封止部材９２が設けられている。封止部材９２は、貫通孔９１の内側面と保持フレーム８０の外側面との間を封止している。本実施形態において封止部材９２は、貫通孔９１の内側面とフレーム本体部８１の上端部における外側面との間を封止している。封止部材９２の材料は、比較的軟質の材料とすることが好ましい。これは、貫通孔９１に通された保持フレーム８０に対して応力が加えられにくくできるためである。封止部材９２は、例えば、スポンジ状であってもよいし、ゲル状であってもよい。
【００９４】
本実施形態において流通ダクト９３は、防塵ケース９０の上側に配置され、光軸方向Ｘに延びている。流通ダクト９３の下側の壁部には、孔部９３ａが設けられている。孔部９３ａには、防塵ケース９０の天壁部９０ａが嵌め合わされている。流通ダクト９３の内部には、複数の光変調ユニット４Ｒ，４Ｇ，４Ｂにおける延出部８２と、各延出部８２に設けられた冷却促進部７０と、が配置されている。本実施形態において流通ダクト９３の内部には、光合成光学系５の光軸方向Ｘの光入射側（−Ｘ側）から光射出側（＋Ｘ側）に向かって、第１送風装置６０からの空気ＡＲ１が流通している。流通ダクト９３の内部に流通する空気ＡＲ１は、複数の延出部８２および複数の冷却促進部７０に吹き付けられる。これにより、第１送風装置６０は、被冷却部である延出部８２に空気ＡＲ１を送る。
【００９５】
冷媒生成部２０によって生成された冷媒Ｗは、冷媒伝送部５０の接続部５４によって、冷媒保持部７１Ｇに伝送される。冷媒保持部７１Ｇに伝送された冷媒Ｗは、連結部７３ａを介して冷媒保持部７１Ｂに伝送され、かつ、連結部７３ｂを介して冷媒保持部７１Ｒに伝送される。このようにして、冷媒生成部２０で生成された冷媒Ｗが、３つの光変調ユニット４Ｒ，４Ｇ，４Ｂに伝送される。そして、伝送されて冷媒保持部７１に保持された冷媒Ｗが気化することで、冷却対象である光変調ユニット４Ｒ，４Ｇ，４Ｂが冷却される。より詳細には、冷媒保持部７１に保持された冷媒Ｗが気化することで、被冷却部である延出部８２が冷却され、フレーム本体部８１、およびフレーム本体部８１を介して延出部８２と熱的に接続された光変調装置４ＲＰ，４ＧＰ，４ＢＰが冷却される。これにより、冷却装置１０によって、冷却対象である光変調ユニット４Ｒ，４Ｇ，４Ｂを冷却できる。
【００９６】
本実施形態によれば、冷却装置１０は、冷媒生成部２０で生成した冷媒Ｗを冷媒伝送部５０によって冷却対象へと伝送し、吸熱反応である冷媒Ｗの気化を利用することで冷却対象から熱を奪って冷却対象を冷却することができる。冷媒Ｗの気化による冷却は、積極的に冷却対象から熱を奪えるため、空冷および液冷のように単に冷媒への伝熱によって冷却対象を冷却する場合に比べて、冷却性能に優れている。これにより、空冷および液冷と同じ冷却性能を得る場合に、空冷および液冷に比べて冷却装置１０全体を小型化しやすい。
【００９７】
また、冷媒Ｗの気化による冷却の場合、気化する冷媒Ｗが冷却対象と接触する表面積を大きくすることで冷却性能を向上できる。そのため、冷却装置１０による冷却性能を大きくしても、騒音が大きくなることを抑制できる。以上により、本実施形態によれば、冷却性能に優れ、かつ、小型で静粛性に優れた冷却装置１０を備えたプロジェクター１が得られる。
【００９８】
また、本実施形態によれば、冷媒生成部２０において冷媒Ｗを生成できるため、使用者が冷媒Ｗを補充する手間がなく、使用者の利便性を向上できる。また、冷媒生成部２０によって、冷媒Ｗを必要なときに必要な分だけ生成することが調整可能であるため、貯蔵タンク等に冷媒Ｗを溜めておかなくてもよく、プロジェクター１の重量を軽くできる。
【００９９】
また、本実施形態によれば、吸放湿部材４０によって第１送風装置６０から送られる空気ＡＲ１に含まれた水蒸気を吸湿でき、吸放湿部材４０によって吸湿した水分を第２送風装置２３によって送られる空気ＡＲ２内に水蒸気として放湿できる。そして、熱交換部３０によって、空気ＡＲ２に水蒸気として放湿された水分を凝縮させて冷媒Ｗを生成することができる。これにより、本実施形態によれば、プロジェクター１内の雰囲気中から冷媒Ｗを生成することができる。
【０１００】
また、本実施形態によれば、熱交換部３０は、第１送風装置６０から放出され、吸放湿部材４０を通過した空気ＡＲ１によって冷却される。そのため、熱交換部３０を冷却する冷却部を別途設ける必要がなく、プロジェクター１の部品点数が増加することを抑制できる。また、熱交換部３０を冷却する冷却部として送風装置を別途設けるような場合に比べて、プロジェクター１から生じる騒音が大きくなることを抑制できる。
【０１０１】
また、冷却対象に送られた冷媒Ｗが気化すると、気化した冷媒Ｗによって周囲の空気の湿度が比較的高くなる。そのため、比較的湿度の高い空気が、冷却対象に影響を与えて不具合を生じさせる虞がある。具体的に、冷却対象が光学素子である場合、冷却対象において気化した冷媒Ｗによって、光学素子に入射される光または光学素子から射出される光の進行が阻害される虞がある。これにより、プロジェクターの信頼性が低下する虞があった。
【０１０２】
これに対して、本実施形態によれば、被冷却部である延出部８２は防塵ケース９０の外部に配置されている。そのため、延出部８２に送られた冷媒Ｗは、防塵ケース９０の外部で気化する。一方、冷却対象本体部である光変調装置４ＲＰ，４ＧＰ，４ＢＰは、防塵ケース９０の内部に配置されている。そのため、防塵ケース９０の外部において気化した冷媒Ｗが光変調装置４ＲＰ，４ＧＰ，４ＢＰの周囲に移動することを、防塵ケース９０によって抑制できる。これにより、気化した冷媒Ｗによって光変調装置４ＲＰ，４ＧＰ，４ＢＰの周囲の空気の湿度が高くなることを抑制できる。したがって、光変調装置４ＲＰ，４ＧＰ，４ＢＰに入射される光および光変調装置４ＲＰ，４ＧＰ，４ＢＰから射出される光の進行が阻害されることを抑制できる。このように、本実施形態によれば、気化した冷媒Ｗが冷却対象本体部に不具合を生じさせることを抑制でき、プロジェクター１の信頼性を向上できる。
【０１０３】
特に本実施形態によれば、光変調ユニット４Ｒ，４Ｇ，４Ｂが冷却対象であり、光変調装置４ＲＰ，４ＧＰ，４ＢＰが冷却対象本体部である。そのため、光変調装置４ＲＰ，４ＧＰ，４ＢＰに不具合が生じることを抑制でき、プロジェクター１から射出されるカラー画像（映像）にゆらぎが生じる等の不具合を抑制できる。
【０１０４】
また、本実施形態によれば、防塵ケース９０には、保持フレーム８０が通された貫通孔９１が設けられ、貫通孔９１と保持フレーム８０との間には、封止部材９２が設けられている。そのため、貫通孔９１と保持フレーム８０との隙間から防塵ケース９０内に、異物および気化した冷媒Ｗが侵入することを抑制できる。これにより、プロジェクター１の信頼性をより向上できる。
【０１０５】
また、本実施形態によれば、冷却装置１０は、被冷却部に空気を送る冷却送風装置として第１送風装置６０を有する。そのため、第１送風装置６０から送られる空気ＡＲ１によって被冷却部である延出部８２に伝送された冷媒Ｗを気化させやすく、光変調ユニット４Ｒ，４Ｇ，４Ｂをより冷却することができる。また、吸放湿部材４０に空気ＡＲ１を送る第１送風装置６０を冷却送風装置として利用できるため、第１送風装置６０の他に冷却送風装置を別途設ける必要がない。これにより、プロジェクター１の部品点数が増加することを抑制でき、騒音が大きくなることを抑制できる。
【０１０６】
また、上述したように、本実施形態では、プロジェクター１の内部に外部の空気を取り込む吸気ファンである第１送風装置６０を利用して、被冷却部に送られた冷媒Ｗの気化を促進させる。そのため、第１送風装置６０の出力を低くしても、本実施形態の冷却装置１０が設けられておらず送風のみで冷却対象が冷却されるときと同等の冷却性能を得ることが可能である。したがって、吸気ファンである第１送風装置６０の出力を低くして、第１送風装置６０から生じる騒音を低減することができ、プロジェクター１の静粛性をより向上できる。
【０１０７】
また、本実施形態によれば、複数の光変調ユニット４Ｒ，４Ｇ，４Ｂにおけるそれぞれの延出部８２は、第１送風装置６０から送られる空気ＡＲ１が流通する流通ダクト９３の内部に配置されている。そのため、第１送風装置６０から送られる空気ＡＲ１を複数の延出部８２に好適に送ることができる。これにより、各延出部８２において冷媒Ｗの気化を好適に促進させることができ、冷却対象である光変調ユニット４Ｒ，４Ｇ，４Ｂをより冷却できる。
【０１０８】
また、本実施形態によれば、冷却対象本体部である光変調装置４ＲＰ，４ＧＰ，４ＢＰを保持する保持フレーム８０は、金属製である。そのため、光変調装置４ＲＰ，４ＧＰ，４ＢＰの熱が保持フレーム８０に伝わりやすい。これにより、保持フレーム８０のうち被冷却部である延出部８２を冷媒Ｗの気化によって冷却することで、冷却対象本体部である光変調装置４ＲＰ，４ＧＰ，４ＢＰをより好適に冷却することができる。
【０１０９】
また、本実施形態によれば、保持フレーム８０の材料は、アルミニウムを含む。そのため、保持フレーム８０の熱伝導率を比較的高くしやすい。これにより、光変調装置４ＲＰ，４ＧＰ，４ＢＰの熱がより保持フレーム８０に伝わりやすい。したがって、保持フレーム８０のうち被冷却部である延出部８２を冷媒Ｗの気化によって冷却することで、冷却対象本体部である光変調装置４ＲＰ，４ＧＰ，４ＢＰをより好適に冷却することができる。
【０１１０】
また、本実施形態によれば、保持フレーム８０の熱伝導率は、冷媒伝送部５０の熱伝導率よりも高い。そのため、保持フレーム８０の熱伝導率を比較的高くしやすい。これにより、光変調装置４ＲＰ，４ＧＰ，４ＢＰの熱がより保持フレーム８０に伝わりやすい。したがって、保持フレーム８０のうち被冷却部である延出部８２を冷媒Ｗの気化によって冷却することで、冷却対象本体部である光変調装置４ＲＰ，４ＧＰ，４ＢＰをより好適に冷却することができる。
【０１１１】
また、本実施形態によれば、被冷却部である延出部８２に、冷媒Ｗを保持する冷媒保持部７１が設けられている。そのため、延出部８２に伝送された冷媒Ｗを、冷媒Ｗが気化するまで冷媒保持部７１によって延出部８２に対して保持しておくことができる。これにより、生成した冷媒Ｗを無駄なく利用しやすく、冷却装置１０の冷却性能をより向上させることができる。
【０１１２】
また、本実施形態によれば、冷媒保持部７１は、被冷却部である延出部８２の面に取り付けられ、かつ、多孔質部材製である。そして、冷媒保持部７１の少なくとも一部は、重ね方向の冷媒保持部７１側から視て、露出している。そのため、冷媒保持部７１の露出した部分から冷媒Ｗを気化させやすく、冷却装置１０の冷却性能をより向上させることができる。また、冷媒保持部７１が多孔質部材製であるため、毛細管現象によって、冷媒保持部７１が設けられた被冷却部の面上に均一に冷媒Ｗを行き渡らせやすく、より冷却対象を冷却しやすい。
【０１１３】
また、例えば、接着剤によって冷媒保持部７１を延出部８２に固定する場合、接着剤が冷媒保持部７１に吸収されて、多孔質部材製である冷媒保持部７１の孔が塞がれる場合がある。そのため、冷媒保持部７１に冷媒Ｗが吸収されにくくなり、冷媒保持部７１によって冷媒Ｗを保持しにくくなる場合がある。
【０１１４】
これに対して、本実施形態によれば、冷媒保持部７１を延出部８２との間で挟んで固定する固定部材７２が設けられている。そのため、接着剤を使用することなく、冷媒保持部７１を延出部８２に対して固定することができる。これにより、冷媒保持部７１によって冷媒Ｗを保持しにくくなることを抑制できる。また、本実施形態では、固定部材７２は金属製である。そのため、固定部材７２は、熱伝導率が比較的高く、冷却されやすい。したがって、第１送風装置６０からの空気ＡＲ１および冷媒Ｗの気化によって固定部材７２の温度が低下しやすく、固定部材７２と接触する被冷却部をより冷却しやすい。
【０１１５】
また、本実施形態によれば、冷媒保持部７１は、複数設けられた光変調ユニット４Ｒ，４Ｇ，４Ｂにそれぞれ設けられ、複数の冷媒保持部７１同士を互いに連結する連結部７３ａ，７３ｂが設けられている。そのため、冷媒伝送部５０を１つの冷媒保持部７１に接続させることで、他の冷媒保持部７１にも冷媒Ｗを伝送することができる。これにより、プロジェクター１の内部における冷媒伝送部５０の引き回しを簡単化できる。
【０１１６】
また、本実施形態によれば、連結部７３ａ，７３ｂには、連結部７３ａ，７３ｂをそれぞれ覆う被覆部７４が設けられている。そのため、連結部７３ａ，７３ｂを伝って移動する冷媒Ｗが連結部７３ａ，７３ｂにおいて気化することを抑制できる。これにより、冷媒Ｗが冷却対象である光変調ユニット４Ｒ，４Ｇ，４Ｂの冷却に寄与せずに気化することを抑制でき、生成した冷媒Ｗが無駄になることを抑制できる。
【０１１７】
なお、本実施形態においては、連結部７３ａ，７３ｂと同様に、接続部５４が被覆されていてもよい。この構成によれば、冷却対象に伝送する間に冷媒Ｗが気化することを抑制できる。そのため、冷却対象に効率よく冷媒Ｗを伝送でき、かつ、生成した冷媒Ｗが無駄になることをより抑制できる。接続部５４および連結部７３ａ，７３ｂは、例えば、チューブ等によって周囲を被覆されてもよい。また、接続部５４および連結部７３ａ，７３ｂは、表面に気化を抑制するコーティング処理が施されてもよい。
【０１１８】
また、例えば、冷媒生成部２０において、第２送風装置２３から熱交換部３０に送られる空気ＡＲ２の湿度が比較的低い場合、熱交換部３０が冷却されても、冷媒Ｗが生成されにくい場合がある。熱交換部３０に送られる空気ＡＲ２の湿度は、例えば、プロジェクター１の外部の空気等が混ざり込むような場合に、低下する場合がある。
【０１１９】
これに対して、本実施形態によれば、冷媒生成部２０は、第２送風装置２３から放出された空気ＡＲ２が循環する循環経路２７を有する。そのため、循環経路２７を略密閉することで循環経路２７内にプロジェクター１の外部の空気が入ることを抑制でき、熱交換部３０に送られる空気ＡＲ２の湿度を比較的高い状態に維持しやすい。したがって、熱交換部３０を冷却することで、好適に冷媒Ｗを生成することができる。
【０１２０】
また、本実施形態によれば、加熱部２２は、第２領域Ｆ２に位置する吸放湿部材４０の部分を通過する前の空気を加熱する加熱本体部２２ａと、第２送風装置２３と、を有する。そのため、加熱部２２は、第２送風装置２３によって吸放湿部材４０に空気ＡＲ２を送ることで、第２領域Ｆ２に位置する吸放湿部材４０の部分を加熱することができる。これにより、加熱本体部２２ａを吸放湿部材４０から離れた位置に配置しても、加熱部２２によって吸放湿部材４０を加熱することができる。したがって、加熱部２２の構成の自由度を向上させることができる。
【０１２１】
また、本実施形態によれば、冷媒生成部２０は、吸放湿部材４０を回転させるモーター２４を有する。そのため、吸放湿部材４０を一定の速度で安定して回転させることができる。これにより、第１領域Ｆ１に位置する吸放湿部材４０の部分に空気ＡＲ１から好適に水蒸気を吸湿させることができ、かつ、第２領域Ｆ２に位置する吸放湿部材４０の部分から空気ＡＲ２へと好適に水分を放湿させることができる。したがって、効率的に冷媒Ｗを生成できる。
【０１２２】
また、本実施形態によれば、冷媒伝送部５０は、毛細管現象によって冷媒Ｗを伝送する。そのため、冷媒Ｗを伝送するためにポンプ等の動力を別途用意する必要がない。これにより、プロジェクター１の部品点数が増加することを抑制でき、プロジェクター１をより小型・軽量化しやすい。
【０１２３】
また、本実施形態によれば、冷媒伝送部５０は、冷媒生成部２０と冷却対象とを接続する多孔質部材製の接続部５４を有する。そのため、冷媒Ｗを接続部５４に吸収させて毛細管現象によって伝送することができる。
【０１２４】
また、本実施形態によれば、冷媒伝送部５０は、第２蓋部３３の内部に設けられた第２捕捉部５２を有する。第２捕捉部５２は、接続部５４と接続されている。そのため、第２蓋部３３の内部に溜まった冷媒Ｗを第２捕捉部５２で吸収して毛細管現象によって接続部５４に伝送することができる。これにより、生成した冷媒Ｗを無駄なく冷却対象へと送りやすい。
【０１２５】
また、本実施形態によれば、冷媒伝送部５０は、第１蓋部３２の内部に設けられた第１捕捉部５１と、第１捕捉部５１と第２捕捉部５２とを接続する第３捕捉部５３と、を有する。これにより、第１蓋部３２の内部に溜まった冷媒Ｗを第１捕捉部５１で吸収して、毛細管現象によって第３捕捉部５３を介して第２捕捉部５２に伝送することができる。したがって、第１蓋部３２の内部に溜まった冷媒Ｗを第２捕捉部５２から接続部５４に伝送して、冷却対象に伝送することができる。そのため、生成した冷媒Ｗをより無駄なく冷却対象へと送りやすい。
【０１２６】
また、本実施形態によれば、第３捕捉部５３は、配管部３１ａの内部を通る。そのため、配管部３１ａの内部に溜まった冷媒Ｗを第３捕捉部５３で吸収して、第２捕捉部５２および接続部５４を介して冷却対象へと伝送することができる。したがって、生成した冷媒Ｗをより無駄なく冷却対象へと送りやすい。
【０１２７】
また、本実施形態によれば、接続部５４の幅は、例えば、第１捕捉部５１の幅、第２捕捉部５２の幅、および第３捕捉部５３の幅よりも大きい。そのため、接続部５４の幅を比較的大きくしやすく、接続部５４によって伝送できる冷媒Ｗの量を多くできる。したがって、冷媒伝送部５０によって冷媒Ｗを冷却対象に送りやすく、冷却対象をより冷却しやすい。
【０１２８】
また、一方で、第１捕捉部５１の幅、第２捕捉部５２の幅、および第３捕捉部５３の幅を比較的小さくしやすい。そのため、第１捕捉部５１と第２捕捉部５２と第３捕捉部５３とによって保持される冷媒Ｗの量を少なくできる。これにより、第１捕捉部５１と第２捕捉部５２と第３捕捉部５３とによって保持されたまま、熱交換部３０の内部に残る冷媒Ｗの量を少なくでき、生成した冷媒Ｗをより無駄なく冷却対象へと送りやすい。
【０１２９】
＜第２実施形態＞
本実施形態は、第１実施形態に対して、流通ダクト１９３の形状が異なる。本実施形態のその他の構成は、第１実施形態のその他の構成と同様である。図９は、光変調ユニット４Ｒ，４Ｇ，４Ｂと流通ダクト１９３とを上側から視た断面図である。なお、上述した実施形態と同様の構成については、適宜同一の符号を付す等により、説明を省略する場合がある。
【０１３０】
流通ダクト１９３は、図９に示すように、上側から視て、角張ったＵ字形状に延びている。流通ダクト１９３は、第１流通部１９３ａと、第２流通部１９３ｂと、第３流通部１９３ｃと、を有する。第１流通部１９３ａと第３流通部１９３ｃとは、光軸方向Ｘに延び、幅方向Ｙに間隔を空けて配置されている。第２流通部１９３ｂは、幅方向Ｙに延び、第１流通部１９３ａの端部と第３流通部１９３ｃの端部とを繋いでいる。
【０１３１】
第１流通部１９３ａの内部には、光変調ユニット４Ｒの延出部８２が配置されている。第２流通部１９３ｂの内部には、光変調ユニット４Ｇの延出部８２が配置されている。第３流通部１９３ｃの内部には、光変調ユニット４Ｂの延出部８２が配置されている。
【０１３２】
光変調ユニット４Ｒの延出部８２のうち冷媒保持部７１が設けられる気化面８２ｄ，８２ｅは、第１流通部１９３ａが延びる光軸方向Ｘに沿って配置されている。光変調ユニット４Ｇの延出部８２のうち冷媒保持部７１が設けられる気化面８２ｄ，８２ｅは、第２流通部１９３ｂが延びる幅方向Ｙに沿って配置されている。光変調ユニット４Ｂの延出部８２のうち冷媒保持部７１が設けられる気化面８２ｄ，８２ｅは、第３流通部１９３ｃが延びる光軸方向Ｘに沿って配置されている。各延出部８２において気化面８２ｄは、各光変調ユニット４Ｒ，４Ｇ，４Ｂを通過する光の方向において、光入射側を向く面である。各延出部８２において気化面８２ｅは、各光変調ユニット４Ｒ，４Ｇ，４Ｂを通過する光の方向において、光射出側を向く面である。
【０１３３】
流通ダクト１９３の内部において空気ＡＲ１は、第１流通部１９３ａの内部、第２流通部１９３ｂの内部、および第３流通部１９３ｃの内部の順に流れる。すなわち、複数の光変調ユニット４Ｒ，４Ｇ，４Ｂにおけるそれぞれの延出部８２は、流通ダクト１９３の内部を流通する空気ＡＲ１の流れ方向に沿って並んで配置されている。流通ダクト１９３の内部を流通する空気ＡＲ１は、光変調ユニット４Ｒの延出部８２、光変調ユニット４Ｇの延出部８２、および光変調ユニット４Ｂの延出部８２の順に送られる。
【０１３４】
このように、本実施形態によれば、複数の延出部８２に、第１送風装置６０からの空気ＡＲ１を順に送ることができる。そのため、複数の延出部８２のそれぞれに対して、好適に空気ＡＲ１を送りやすい。具体的には、例えば、互いに逆側に設けられた気化面８２ｄ，８２ｅを流通ダクト１９３が延びる方向に沿って配置することで、気化面８２ｄと気化面と８２ｅとの両方に空気ＡＲ１を触れさせやすくできる。これにより、延出部８２の気化面８２ｄ，８２ｅに設けられた冷媒保持部７１に空気ＡＲ１を送りやすく、冷媒保持部７１に送られた冷媒Ｗを効率的に気化させることができる。したがって、各延出部８２において好適に冷媒Ｗの気化を促進させることができ、冷却対象である光変調ユニット４Ｒ，４Ｇ，４Ｂをより冷却しやすい。
【０１３５】
＜第３実施形態＞
本実施形態は、第１実施形態に対して、流通ダクト２９３の形状が異なる。本実施形態のその他の構成は、第１実施形態のその他の構成と同様である。図１０は、光変調ユニット４Ｒ，４Ｇ，４Ｂと流通ダクト２９３とを上側から視た断面図である。なお、上述した実施形態と同様の構成については、適宜同一の符号を付す等により、説明を省略する場合がある。
【０１３６】
流通ダクト２９３は、図１０に示すように、流入部２９３ｆと、第１流通部（分岐路）２９３ａと、第２流通部（分岐路）２９３ｂと、有する。流入部２９３ｆは、第１送風装置６０からの空気ＡＲ１が流入される部分である。流入部２９３ｆは、光軸方向Ｘに延びている。流入部２９３ｆには、光軸方向Ｘの他方側（−Ｘ側）から一方側（＋Ｘ側）に向かって空気ＡＲ１が流入される。
【０１３７】
第１流通部２９３ａと第２流通部２９３ｂとは、流入部２９３ｆを介して第１送風装置６０から送られる空気ＡＲ１が分岐する複数の分岐路である。第１流通部２９３ａは、流入部２９３ｆから幅方向Ｙの他方側（−Ｙ側）に延びている。第２流通部２９３ｂは、流入部２９３ｆから光軸方向Ｘの一方側（＋Ｘ側）に延びた後、角張ったＵ字状に折返し、第１流通部２９３ａに繋がっている。第２流通部２９３ｂは、上流部２９３ｃと、中流部２９３ｄと、下流部２９３ｅと、を有する。
【０１３８】
上流部２９３ｃと下流部２９３ｅとは、光軸方向Ｘに延び、幅方向Ｙに間隔を空けて配置されている。中流部２９３ｄは、幅方向Ｙに延び、上流部２９３ｃの光軸方向一方側（＋Ｘ側）の端部と下流部２９３ｅの光軸方向一方側の端部とを繋いでいる。下流部２９３ｅの光軸方向他方側（−Ｘ側）の端部は、第１流通部２９３ａに繋がっている。
【０１３９】
流入部２９３ｆから流通ダクト２９３の内部に流入した空気ＡＲ１は、第１流通部２９３ａに流入される空気ＡＲ１ａと、第２流通部２９３ｂに流入される空気ＡＲ１ｂとに分岐する。第２流通部２９３ｂに流入される空気ＡＲ１ｂは、上流部２９３ｃ、中流部２９３ｄ、および下流部２９３ｅをこの順に流れて、第１流通部２９３ａの内部を流通する空気ＡＲ１ａと合流する。
【０１４０】
第１流通部２９３ａの内部には、光変調ユニット４Ｇの延出部８２が配置されている。第２流通部２９３ｂの内部には、光変調ユニット４Ｒの延出部８２および光変調ユニット４Ｂの延出部８２が配置されている。すなわち、複数の分岐路である第１流通部２９３ａおよび第２流通部２９３ｂのそれぞれには、少なくとも１つの延出部８２が配置されている。本実施形態において光変調ユニット４Ｒの延出部８２は、第２流通部２９３ｂのうち上流部２９３ｃの内部に配置されている。光変調ユニット４Ｂの延出部８２は、第２流通部２９３ｂのうち下流部２９３ｅの内部に配置されている。各光変調ユニット４Ｒ，４Ｇ，４Ｂの延出部８２は、第２実施形態と同様に、各気化面８２ｄ，８２ｅが流通ダクト２９３の各部が延びる方向に沿って配置されている。
【０１４１】
第１流通部２９３ａに流入する空気ＡＲ１ａは、光変調ユニット４Ｇの延出部８２に送られる。第２流通部２９３ｂに流入する空気ＡＲ１ｂは、光変調ユニット４Ｒの延出部８２、および光変調ユニット４Ｂの延出部８２に、この順に送られる。
【０１４２】
本実施形態によれば、流通ダクト２９３が複数の分岐路として第１流通部２９３ａと第２流通部２９３ｂとを有し、各流通部のそれぞれには少なくとも１つの延出部８２が配置されている。そのため、分岐路である各流通部のそれぞれに対して、被冷却部を通過する前の空気ＡＲ１ａ，ＡＲ１ｂを流入させることができる。これにより、複数の被冷却部に対して比較的温度が低い空気ＡＲ１を送りやすく、冷却対象をより冷却しやすい。
【０１４３】
具体的に本実施形態では、第１流通部２９３ａに流入される空気ＡＲ１ａは、他の延出部８２を通過することなく、光変調ユニット４Ｇの延出部８２に送られる。また、第２流通部２９３ｂに流入される空気ＡＲ１ｂは、他の延出部８２を通過することなく、光変調ユニット４Ｒの延出部８２に送られる。そのため、光変調ユニット４Ｇの延出部８２と光変調ユニット４Ｒの延出部８２とに、他の延出部８２を通過する前の比較的温度が低い空気ＡＲ１を送ることができる。
【０１４４】
また、第１流通部２９３ａの内部を流通する空気ＡＲ１ａは、複数の延出部８２のうち、光変調ユニット４Ｇの延出部８２のみに送られる。ここで、光変調ユニット４Ｇは、他の光変調ユニット４Ｒ，４Ｂよりも発熱量が多くなりやすい。そのため、光変調ユニット４Ｇの延出部８２を通過した後の空気ＡＲ１ａは、比較的温度が高くなりやすい。したがって、光変調ユニット４Ｇの延出部８２を通過する空気ＡＲ１ａを他の延出部８２に送らない構成とすることで、複数の光変調ユニット４Ｒ，４Ｇ，４Ｂの延出部８２を効率よく冷却できる。
【０１４５】
＜第４実施形態＞
本実施形態は、第１実施形態に対して、循環送風装置３９５が設けられている点が異なる。図１１は、光変調ユニット４Ｂ，４Ｇと防塵ケース３９０と流通ダクト９３とを示す断面図である。なお、上述した実施形態と同様の構成については、適宜同一の符号を付す等により、説明を省略する場合がある。
【０１４６】
本実施形態のプロジェクター３０１は、防塵ケース３９０の内部に収容された循環送風装置３９５を備える。循環送風装置３９５は、防塵ケース３９０の内部の空気を循環させる。本実施形態において循環送風装置３９５が空気を排出する向きは、流通ダクト９３内における空気ＡＲ１が流れる向きと同じ向きである。循環送風装置３９５は、例えば、遠心ファンである。なお、循環送風装置３９５は、軸流ファンであってもよい。
【０１４７】
防塵ケース３９０は、ヒートシンク（放熱構造）３９４を有する。ヒートシンク３９４は、防塵ケース３９０の外部に熱を放出する放熱構造である。本実施形態においてヒートシンク３９４は、防塵ケース３９０の壁部のうち光軸方向一方側（＋Ｘ側）に位置する側壁部３９０ｂに設けられている。本実施形態においてヒートシンク３９４は、基部３９４ａと、複数の内側フィン３９４ｂと、複数の外側フィン３９４ｃと、を有する。
【０１４８】
基部３９４ａは、側壁部３９０ｂに形成された孔部３９０ｃに嵌め込まれ、側壁部３９０ｂの一部を構成している。基部３９４ａの内側面は、防塵ケース３９０の内側面の一部を構成している。基部３９４ａの外側面は、防塵ケース３９０の外側面の一部を構成している。複数の内側フィン３９４ｂは、基部３９４ａの内側面、すなわち防塵ケース３９０の内側面に設けられている。複数の内側フィン３９４ｂは、基部３９４ａから防塵ケース３９０の内部に突出している。複数の外側フィン３９４ｃは、基部３９４ａの外側面、すなわち防塵ケース３９０の外側面に設けられている。複数の外側フィン３９４ｃは、基部３９４ａから防塵ケース３９０の外部に突出している。
【０１４９】
防塵ケース３９０のその他の構成は、第１実施形態の防塵ケース９０のその他の構成と同様である。プロジェクター３０１のその他の構成は、第１実施形態のプロジェクター１のその他の構成と同様である。
【０１５０】
本実施形態によれば、防塵ケース３９０の内部に循環送風装置３９５が設けられている。そのため、防塵ケース３９０の内部の空気を循環送風装置３９５によって循環させることができる。これにより、防塵ケース３９０の内部に収容された光変調装置４ＲＰ，４ＧＰ，４ＢＰの熱を、循環する空気を介して防塵ケース３９０の壁部に伝えやすい。したがって、光変調装置４ＲＰ，４ＧＰ，４ＢＰの熱を防塵ケース３９０の壁部から外部に放出しやすくできる。そのため、冷却対象である光変調ユニット４Ｒ，４Ｇ，４Ｂをより冷却できる。
【０１５１】
また、本実施形態によれば、防塵ケース３９０は、防塵ケース３９０の外部に熱を放出する放熱構造としてヒートシンク３９４を有する。そのため、光変調装置４ＲＰ，４ＧＰ，４ＢＰから、防塵ケース３９０の内部の空気を介して防塵ケース３９０の壁部に伝えられた熱を、ヒートシンク３９４によって防塵ケース３９０の外部に放出しやすくできる。これにより、光変調装置４ＲＰ，４ＧＰ，４ＢＰの熱をより好適に防塵ケース３９０の外部に放出できる。したがって、冷却対象である光変調ユニット４Ｒ，４Ｇ，４Ｂをより好適に冷却できる。
【０１５２】
また、本実施形態によれば、ヒートシンク３９４は、防塵ケース３９０の内側面に設けられた複数の内側フィン３９４ｂを有する。そのため、複数の内側フィン３９４ｂを介して、防塵ケース３９０の内部の空気から光変調装置４ＲＰ，４ＧＰ，４ＢＰの熱を吸収しやすい。これにより、光変調装置４ＲＰ，４ＧＰ，４ＢＰの熱をより防塵ケース３９０の外部に放出しやすくできる。
【０１５３】
また、本実施形態によれば、ヒートシンク３９４は、防塵ケース３９０の外側面に設けられた複数の外側フィン３９４ｃを有する。そのため、防塵ケース３９０の内部の空気を介してヒートシンク３９４に伝えられた光変調装置４ＲＰ，４ＧＰ，４ＢＰの熱を、複数の外側フィン３９４ｃを介して防塵ケース３９０の外部の空気に放出しやすい。これにより、光変調装置４ＲＰ，４ＧＰ，４ＢＰの熱をより防塵ケース３９０の外部に放出しやすくできる。
【０１５４】
なお、本実施形態においては、下記の構成および方法を採用することもできる。
上述した実施形態において冷却対象は、光変調ユニットとしたが、これに限られない。冷却対象は、冷却対象本体部と、被冷却部と、を有するならば、特に限定されない。光変調装置と、光変調ユニットと、光源装置と、光源装置から射出された光の波長を変換する波長変換素子と、光源装置から射出された光を拡散する拡散素子と、光源装置から射出された光の偏光方向を変換する偏光変換素子とのうちの少なくとも一つを含んでもよい。この構成によれば、プロジェクターの各部を上述したのと同様に、冷却することができる。
【０１５５】
被冷却部の形状は、特に限定されない。防塵ケースの形状は、特に限定されない。流通ダクトの形状は、流通ダクトの内部に配置された被冷却部に、冷却送風装置からの空気を送れるならば、特に限定されない。流通ダクトの内部には、被冷却部が配置されなくてもよい。この場合、流通ダクトは、例えば、被冷却部の手前まで延びて、被冷却部に向けて冷却送風装置からの空気を送るダクトであってもよい。流通ダクトは、複数設けられてもよい。流通ダクトは、設けられなくてもよい。
【０１５６】
上述した実施形態において冷却送風装置は、冷媒生成部２０に設けられた第１送風装置６０としたが、これに限られない。冷却送風装置は、冷媒生成部２０に設けられる送風装置の他に別途設けられていてもよい。冷却送風装置は、設けられなくてもよい。
【０１５７】
加熱部は、上述した実施形態に限られない。加熱部は、吸放湿部材に接触して吸放湿部材を加熱する構成であってもよい。この場合、加熱部は、吸放湿部材を通過する前の空気を加熱しなくてもよい。
【０１５８】
また、上記実施形態において、透過型のプロジェクターに本発明を適用した場合の例について説明したが、本発明は、反射型のプロジェクターにも適用することも可能である。ここで、「透過型」とは、液晶パネル等を含む光変調装置が光を透過するタイプであることを意味する。「反射型」とは、光変調装置が光を反射するタイプであることを意味する。なお、光変調装置は、液晶パネル等に限られず、例えばマイクロミラーを用いた光変調装置であってもよい。
【０１５９】
また、上記実施形態において、３つの光変調装置を用いたプロジェクターの例を挙げたが、本発明は、１つの光変調装置のみを用いたプロジェクター、４つ以上の光変調装置を用いたプロジェクターにも適用可能である。
【０１６０】
また、本明細書において説明した各構成は、相互に矛盾しない範囲内において、適宜組み合わせることができる。
【符号の説明】
【０１６１】
１，３０１…プロジェクター、２…光源装置、４Ｂ，４Ｇ，４Ｒ…光変調ユニット（冷却対象）、４ＢＰ，４ＧＰ，４ＲＰ…光変調装置（冷却対象本体部）、６…投射光学装置、１０…冷却装置、２０…冷媒生成部、９１，９１Ｒ，９１Ｇ，９１Ｂ…貫通孔、５０…冷媒伝送部、６０…第１送風装置（冷却送風装置）、８０…保持フレーム、８１…フレーム本体部、８２…延出部（被冷却部）、９０，３９０…防塵ケース、９２…封止部材、９３，１９３，２９３…流通ダクト、２９３ａ…第１流通部（分岐路）、２９３ｂ…第２流通部（分岐路）、３９４…ヒートシンク（放熱構造）、３９４ｂ…内側フィン、３９４ｃ…外側フィン、３９５…循環送風装置、Ｗ…冷媒
【図１】
0006888648.tif 000002
【図２】
0006888648.tif 000003
【図３】
0006888648.tif 000004
【図４】
0006888648.tif 000005
【図５】
0006888648.tif 000006
【図６】
0006888648.tif 000007
【図７】
0006888648.tif 000008
【図８】
0006888648.tif 000009
【図９】
0006888648.tif 000010
【図１０】
0006888648.tif 000011
【図１１】
0006888648.tif 000012